【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
内部環境を有する圧力容器であって、
シェルと、
前記シェル内に位置決めされ、前記内部環境を画定するライナーと、
前記シェルと前記ライナーとの間の第１の境界に位置するボスとを含み、前記ボスは、
前記ライナーと前記ボスとの間の第２の境界にある空洞であって、前記内部環境と連通する前記ボスの内部表面に位置する空洞、及び、
前記空洞内に位置する放出構造を含み、ガス放出経路は、前記第１の境界から、前記放出構造を通り、前記圧力容器の前記内部環境に入るように画定される、圧力容器。
【請求項２】
前記放出構造は、焼結金属を含む、請求項１に記載の圧力容器。
【請求項３】
前記放出構造は、前記ライナーの材料が前記放出構造に入るのを抑制しながら、ガスが前記放出構造を通過することを可能にする、多孔性を有する、請求項１又は請求項２に記載の圧力容器。
【請求項４】
前記放出構造は環状形状を有する、請求項１から請求項３のうちのいずれか１項に記載の圧力容器。
【請求項５】
前記空洞は、前記放出構造の前記環状形状に対応する補足的な環状形状を含む、請求項４に記載の圧力容器。
【請求項６】
前記放出構造は、放出構造のセットのうちの１つである、請求項１から請求項５のうちのいずれか１項に記載の圧力容器。
【請求項７】
前記空洞は、空洞のセットのうちの１つであり、前記空洞のセットにおける各空洞は、前記放出構造のセットにおける前記放出構造の１つの形状に対応するように構成される、請求項６に記載の圧力容器。
【請求項８】
前記空洞のセットにおける前記空洞は、円周方向に互いから等間隔に離間する、請求項７に記載の圧力容器。
【請求項９】
圧力容器用のボスであって、
前記圧力容器の外部環境と前記圧力容器の内部環境との間の流体連通を可能にするように構成されるポートと、
前記ポートから半径方向に外側に延在し、外部側及び内部側を含むフランジと、
前記フランジの前記内部側に位置する空洞と、
前記空洞内に位置するガス放出構造とを含む、ボス。
【請求項１０】
前記ガス放出構造は焼結金属を含む、請求項９に記載のボス。
【請求項１１】
前記ガス放出構造は、溶融ポリマー材料が前記ガス放出構造に入るのを抑制しながら、ガスが前記ガス放出構造を通過することを可能にする多孔性を有する、請求項９又は請求項１０に記載のボス。
【請求項１２】
前記ガス放出構造は環状形状を有する、請求項９から請求項１１のうちのいずれか１項に記載のボス。
【請求項１３】
前記空洞は、前記ガス放出構造の前記環状形状に対応する補足的な環状形状を含む、請求項１２に記載のボス。
【請求項１４】
前記放出構造は、放出構造のセットのうちの１つの放出構造である、請求項９から請求項１３のうちのいずれか１項に記載のボス。
【請求項１５】
前記空洞は、空洞のセットのうちの１つであり、前記空洞のセットにおける各空洞は、前記放出構造のセットにおける前記放出構造の１つの形状に対応するように構成される、請求項１４に記載のボス。
【請求項１６】
前記空洞のセットにおける前記空洞は、円周方向に互いから等間隔に離間する、請求項１５に記載のボス。
【請求項１７】
圧力容器内で使用するためのボスを製造する方法であって、
金属部品を焼結することで、前記金属部品が、ガスが焼結された前記金属部品を通過することを可能にするが、溶融ポリマー材料が焼結された前記金属部品に入るのを制限する多孔性を有するようにすること、及び、
焼結された前記金属部品を、前記ボスの対応する空洞に挿入することを含む、方法。
【請求項１８】
前記対応する空洞を機械加工することを更に含む、請求項１７に記載の方法。
【請求項１９】
前記ボスは、前記ボスの外部側と前記ボスの内部側を接続するポートを含み、前記機械加工は、前記ボスの前記内部側の表面を機械加工することを含む、請求項１８に記載の方法。
【請求項２０】
前記ボスは、前記ポートから半径方向に外側に延在し、外部側及び内部側を含むフランジを含み、前記機械加工は、前記フランジの前記内部側の表面を機械加工することを含む、請求項１９に記載の方法。
【手続補正２】
【補正対象書類名】明細書
【補正対象項目名】発明の名称
【補正方法】変更
【補正の内容】
【発明の名称】圧力容器、ボス、及び、ボスを製造する方法
【手続補正３】
【補正対象書類名】明細書
【補正対象項目名】００３６
【補正方法】変更
【補正の内容】
【００３６】
図４Ａ及び４Ｂに示すように、第１の例示的なボス１６ａの内部表面３１は、フランジ２４の内部表面、溝３２、及び内側部分４０を含む、起伏する表面輪郭を有する円形状を有する。図４Ｂの内部図は、第１の例示的なボス１６ａの上記で述べた特徴のそれぞれが、それぞれの内部端において、円形状を有し、フランジ２４の内部端が、溝３２の内部端を囲み、溝３２の内部端が、次に内側部分４０ａを囲み、内側部分４０ａがポート２６を囲む。放出構造２８が、同様に、溝３２を持たないボス１６ａの内部表面３１上に設けられ得ると考えられる。
【手続補正４】
【補正対象書類名】明細書
【補正対象項目名】００３８
【補正方法】変更
【補正の内容】
【００３８】
変形５２は、膨らみ又はバブルを示すが、単に議論のためにそのように示されている。更に、変形５２のサイズは、例証のために誇張されている。異なる量のガスは、ライナー２０とシェル１８との間の境界６０の、及び／又は、ボス１６ａとライナー２０との間の境界６２の任意の場所にて出る可能性があり、放出されることを許容されない場合、ライナー２０の種々の変形５２をもたらす。描かれた図は議論のために変形５２を示すが、圧力容器１０上に放出構造２８を設けることが、こうした変形５２の形成を実際に防止することになると考えられる。
【手続補正５】
【補正対象書類名】明細書
【補正対象項目名】００４７
【補正方法】変更
【補正の内容】
【００４７】
図１０に示すように、ライナー２０ｄとボス１６ｄのフランジ２４との間のポケット５０内のガスは、ライナー２０ｄとボス１６ｄとの間の境界６２のポケット５０で始まる放出経路５４に沿って流れることによって、内部環境１７内に排出する。ガスは、その後、放出構造２８ｄとライナー２０ｄとの間の境界２９ｄへと移動し得る。ガスは、ライナー境界表面２９ｄを介して放出構造２８ｄのチャネルに入り、チャネルを通って容器１０ｄの内部環境１７へと移動する。
【手続補正６】
【補正対象書類名】明細書
【補正対象項目名】００４８
【補正方法】変更
【補正の内容】
【００４８】
本圧力容器１０ｄについて示される実施形態において、ライナー２０ｄは、ボス１６ｄのフランジ２４の外部表面に同様に当接するように形成され、それにより、フランジ２４の外部表面上に部分３５を有する。ライナー２０ｄとシェル１８との間の境界６０で捕捉されたガス用の別の放出経路は、ライナー部分３５の周りを進み、ライナー２０ｄとボス１６ｄとの間の境界６２へと続く。ガスは、その後、放出構造２８ｄのチャネルを通って容器１０ｄの内部環境１７へと移動する。
【手続補正７】
【補正対象書類名】明細書
【補正対象項目名】００５０
【補正方法】変更
【補正の内容】
【００５０】
図１１に示すように、ライナー２０ｅとボス１６ｅのフランジ２４との間のポケット５０内のガスは、ライナー２０ｅとボス１６ｅとの間の境界６２のポケット５０で始まる放出経路５４に沿って流れることによって、内部環境１７内に排出する。ガスは、その後、放出構造２８ｅとライナー２０ｅとの間の境界２９ｅへと移動し得る。ガスは、ライナー境界表面２９ｅを介して放出構造２８ｅのチャネルに入り、チャネルを通って容器１０ｅの内部環境１７へと移動する。
【手続補正８】
【補正対象書類名】明細書
【補正対象項目名】００５１
【補正方法】変更
【補正の内容】
【００５１】
本圧力容器１０ｅについて示される実施形態において、ライナー２０ｅは、ボス１６ｅのフランジ２４の外部表面に同様に当接するように形成され、それにより、フランジ２４の外部表面上に部分３５を有する。ライナー２０ｅとシェル１８との間の境界６０で捕捉されたガス用の別の放出経路は、ライナー部分３５の周りを進み、ライナー２０ｅとボス１６ｅとの間の境界６２へと続く。ガスは、その後、放出構造２８ｄのチャネルを通って容器１０ｅの内部環境１７へと移動する。
【手続補正９】
【補正対象書類名】明細書
【補正対象項目名】００５８
【補正方法】変更
【補正の内容】
【００５８】
図１２を参照すると、方法１００は、ガスが焼結構造を通過することを可能にするが、ライナー材料が焼結構造に入るのを制限する多孔性及び／又は密度を有するように、放出構造を焼結するステップ１０４を含む。こうした焼結は、放出構造が、ボスの対応する空洞内に組み込まれる前に又は組み込まれた後に行われ得る。
【手続補正１０】
【補正対象書類名】明細書
【補正対象項目名】００６１
【補正方法】変更
【補正の内容】
【００６１】
戻って図１２を参照すると、方法１００は、放出構造が原位置で形成されない場合において、焼結した放出構造２８をボスの対応する空洞２７に挿入するステップ１０６を含み得る。例示的な実施形態において、挿入は、放出部品２８を焼結し、空洞２７を形成した後に行われる。更に、放出構造２８は、ボス上に予め作製された空洞２７内に嵌合するように機械加工され得る、又は、その逆も同様である。換言すれば、空洞２７は、予め作製された放出構造２８も同様に受容するように機械加工され得る。